(57)【特許請求の範囲】
【請求項１】
親局設備に設置される複数の伝達対象装置の各々が対応する通信方式によって前記伝達対象装置との接続完了までの時間が異なる複数の通報対象装置に、通信方式の異なる前記複数の伝達対象装置を介して、前記親局設備から通報を行う通信方法であって、
前記親局設備の外部より受信した音声を、前記伝達対象装置毎に設けられた記録手段に記録させるとともに、前記複数の伝達対象装置と前記複数の通報対象装置との接続を略同時に開始させ、
前記接続が完了した前記伝達対象装置から順に、前記記録手段に記録した前記音声を、前記接続先の通報対象装置に送信し、
さらに、前記親局設備の外部より、カウントダウンといったリアルタイム性の内容を受信した場合、前記通報対象装置の起動待ちに伴うカウントダウンと実時間のずれを補正する内容に書き換えて前記接続先の通報対象装置に送信することを特徴とする通信方法。
【請求項２】
前記音声をデジタル信号に符号化して記録し、前記符号化中であっても、前記記録した音声を初めから復号化する請求項１記載の通信方法。
【請求項３】
前記伝達対象装置が、前記接続が不要で即座に音声出力可能な場合、前記音声を記録することなく出力を行う請求項１または請求項２記載の通信方法。
【請求項４】
親局設備に設置される複数の伝達対象装置の各々が対応する通信方式によって前記伝達対象装置との接続完了までの時間が異なる複数の通報対象装置に、通信方式の異なる前記複数の伝達対象装置を介して、前記親局設備から通報を行う通信方法であって、
前記親局設備の外部より受信した音声を、前記伝達対象装置毎に設けられた記録手段に記録させるとともに、前記複数の伝達対象装置と前記複数の通報対象装置との接続を略同時に開始させ、
前記接続が完了した前記伝達対象装置から順に、前記記録手段に記録した前記音声を、前記接続先の通報対象装置に送信し、
さらに、地域毎の情報をあらかじめ前記記録手段に登録しておき、前記親局設備の外部より、前記地域毎の情報の通知を受信した場合、前記あらかじめ登録しておいた前記地域毎の情報を前記接続先の通報対象装置に送信することを特徴とする通信方法。
【請求項５】
親局設備に設置される操作卓と、前記親局設備に設置され通信方式が異なる複数の伝達対象装置と、前記親局設備の外部に配置され前記伝達対象装置の通信方式によって前記伝達対象装置との接続完了までの時間が異なる複数の通報対象装置とを備えた通信システムであって、
前記操作卓は、
前記親局設備の外部より音声を受信する外部入力手段と、前記伝達対象装置毎に設けられ、前記外部入力手段により受信した前記音声を記録し、前記記録した音声を前記伝達対象装置に出力する複数の記録手段と、前記外部入力手段により前記音声を受信したとき、前記音声を前記複数の記録手段に記録させるとともに、前記複数の伝達対象装置と前記複数の通報対象装置との接続を略同時に開始させ、前記接続が完了した前記伝達対象装置から順に、前記記録手段に記録した前記音声を前記接続先の通報対象装置に出力させ、前記親局設備の外部より、カウントダウンといったリアルタイム性の内容を受信した場合、前記通報対象装置の起動待ちに伴うカウントダウンと実時間のずれを補正する内容に書き換え、前記接続が完了した前記伝達対象装置から順に、前記接続先の通報対象装置に出力させる制御手段とを備え、
前記伝達対象装置は、
前記制御手段からの指示により前記通報対象装置と接続し、前記接続が完了すると、前記記録手段から入力した前記音声または前記書き換えられた内容を前記接続先の通報対象装置に送信する送信手段を備え、
前記通報対象装置は、
前記伝達対象装置から受信した前記音声を報知する報知手段を備えることを特徴とする通信システム。
【発明の詳細な説明】
【技術分野】
【０００１】
本発明は、防災無線や消防無線など広域に通報を行う通信方法及び通信システムに関するものである。
【背景技術】
【０００２】
一般的に、この種のシステムは、図４に示すようなものである。図４は、リアルタイム地震情報防災無線システムを構成を示すブロック図で、１は地震波観測網地震計であり、２はリアルタイム地震情報利用協議会であり、３は気象庁など震源情報配信センタであり、１１〜１３、１５はリアルタイム地震情報防災無線システムであり、１７は屋外拡声子局であり、１８は戸別受信機で構成されている。
【０００３】
さらに、リアルタイム地震情報防災無線システムは、１１のリアルタイム地震情報解析サーバ、１２の地震情報送受信および演算装置、１３のデータ受信管理装置および、１５のデータ送信管理装置で構成されている。
【０００４】
次に、図４を参照して、上記システムの動作の概略を説明する。全国に設置されている地震波観測網地震計１からの地震情報を、震源情報配信センタ（実際には、気象庁などが担当する）３および、リアルタイム地震情報利用協議会２が受信する。リアルタイム地震情報利用協議会２は、受信した地震情報をリアルタイム地震情報に変換して、リアルタイム地震情報防災無線システムに送信する。リアルタイム地震情報防災無線システムは、データ送信管理装置１５によって、防災無線として、屋外拡声子局１７および、戸別受信機１８から、地震情報防災の音声を出力する。
【０００５】
なお、防災無線は、無線方式がアナログとデジタルの２つの方式が存在する。図５はアナログ方式での信号処理を説明するタイミングチャートであり、図６はデジタル方式での信号処理を説明するタイミングチャートである。
【０００６】
図５の様に無線方式がアナログ方式である場合には、リアルタイム地震情報利用協議会２が送信した地震情報を、リアルタイム地震情報防災無線システムは受信したならば、アナログ方式の無線機を制御し、アナログ方式の防災無線にて、屋外拡声子局１７および、戸別受信機１８から、地震情報防災の音声を出力する。
【０００７】
また、図６の様に無線方式がデジタル方式である場合には、リアルタイム地震情報利用協議会２が送信した地震情報を、リアルタイム地震情報防災無線システムは受信したならば、デジタル方式の無線機を制御し、デジタル方式の防災無線にて、屋外拡声子局１７および、戸別受信機１８から、地震情報防災の音声を出力する。
【先行技術文献】
【特許文献】
【０００８】
【特許文献１】特開２００５−２５７５７８号公報
【発明の概要】
【発明が解決しようとする課題】
【０００９】
しかしながら、従来のリアルタイム地震情報防災無線システムでは、受信した地震情報をアナログとデジタルの両方式の防災無線の全子局に一斉に拡声して、両方式の呼接続完了を以て通報を開始しようとすると、図７のように、デジタル方式よりもアナログ方式の呼接続が長くかかるため、デジタル方式の子局の拡声も遅くなってしまう場合があった。
【００１０】
また、呼接続の完了が速い、デジタル方式の子局側の通報を優先して実施した場合、遅れて呼接続が完了するアナログ方式の子局側では、拡声内容の始まりの部分が欠落する場合があった。
【００１１】
本発明は、従来の問題を解決するためになされたものであり、呼接続完了までの時間が異なる複数の通報対象の装置がある場合、緊急地震速報端末からの地震情報を受信したならば、通報内容音声に欠落が無く、かつ迅速に通報を行うことができる通信方法及び通信システムを実現することを目的とする。
【課題を解決するための手段】
【００１２】
本発明は、親局設備に設置される複数の伝達対象装置の各々が対応する通信方式によって前記伝達対象装置との接続完了までの時間が異なる複数の通報対象装置に、通信方式の異なる前記複数の伝達対象装置を介して、前記親局設備から通報を行う通信方法であって、前記親局設備の外部より受信した音声を、前記伝達対象装置毎に設けられた記録手段に記録させるとともに、前記複数の伝達対象装置と前記複数の通報対象装置との接続を略同時に開始させ、前記接続が完了した前記伝達対象装置から順に、前記記録手段に記録した前記音声を、前記接続先の通報対象装置に送信し、さらに、前記親局設備の外部より、カウントダウンといったリアルタイム性の内容を受信した場合、前記通報対象装置の起動待ちに伴うカウントダウンと実時間のずれを補正する内容に書き換えて前記接続先の通報対象装置に送信するようにしたものである。
また、本発明は、親局設備に設置される複数の伝達対象装置の各々が対応する通信方式によって前記伝達対象装置との接続完了までの時間が異なる複数の通報対象装置に、通信方式の異なる前記複数の伝達対象装置を介して、前記親局設備から通報を行う通信方法であって、前記親局設備の外部より受信した音声を、前記伝達対象装置毎に設けられた記録手段に記録させるとともに、前記複数の伝達対象装置と前記複数の通報対象装置との接続を略同時に開始させ、前記接続が完了した前記伝達対象装置から順に、前記記録手段に記録した前記音声を、前記接続先の通報対象装置に送信し、さらに、地域毎の情報をあらかじめ前記記録手段に登録しておき、前記親局設備の外部より、前記地域毎の情報の通知を受信した場合、前記あらかじめ登録しておいた前記地域毎の情報を前記接続先の通報対象装置に送信するようにしたものである。
【００１３】
また、本発明は、親局設備に設置される操作卓と、前記親局設備に設置され通信方式が異なる複数の伝達対象装置と、前記親局設備の外部に配置され前記伝達対象装置の通信方式によって前記伝達対象装置との接続完了までの時間が異なる複数の通報対象装置とを備えた通信システムであって、前記操作卓は、前記親局設備の外部より音声を受信する外部入力手段と、前記伝達対象装置毎に設けられ、前記外部入力手段により受信した前記音声を記録し、前記記録した音声を前記伝達対象装置に出力する複数の記録手段と、前記外部入力手段により前記音声を受信したとき、前記音声を前記複数の記録手段に記録させるとともに、前記複数の伝達対象装置と前記複数の通報対象装置との接続を略同時に開始させ、前記接続が完了した前記伝達対象装置から順に、前記記録手段に記録した前記音声を前記接続先の通報対象装置に出力させ、前記親局設備の外部より、カウントダウンといったリアルタイム性の内容を受信した場合、前記通報対象装置の起動待ちに伴うカウントダウンと実時間のずれを補正する内容に書き換え、前記接続が完了した前記伝達対象装置から順に、前記接続先の通報対象装置に出力させる制御手段とを備え、前記伝達対象装置は、前記制御手段からの指示により前記通報対象装置と接続し、前記接続が完了すると、前記記録手段から入力した前記音声または前記書き換えられた内容を前記接続先の通報対象装置に送信する送信手段を備え、前記通報対象装置は、前記伝達対象装置から受信した前記音声を報知する報知手段を備える構成としたものである。
【発明の効果】
【００１４】
本発明は、呼接続といった通報の開始〜通報が可能になるまでの時間が異なる複数の通報対象の装置がある場合、緊急地震速報端末からの地震情報を受信したならば、通報内容音声に欠落が無く、かつ迅速に通報を行うことができる。
【図面の簡単な説明】
【００１５】
【図１】本発明の第１の実施の形態における操作卓のブロック図
【図２】本発明の第１の実施の形態における、緊急地震速報端末からの通報の実施についての動作を説明するタイミングチャート
【図３】本発明の第２の実施の形態における動作を説明するタイミングチャート
【図４】従来のリアルタイム地震情報防災無線システムの構成を示すブロック図
【図５】従来のリアルタイム地震情報防災無線システムにおけるアナログ方式での信号処理を説明するタイミングチャート
【図６】従来のリアルタイム地震情報防災無線システムにおけるデジタル方式での信号処理を説明するタイミングチャート
【図７】従来のリアルタイム地震情報防災無線システムの課題を説明するタイミングチャート
【発明を実施するための形態】
【００１６】
以下、本発明の実施の形態の操作卓について、図面を用いて説明する。図１は、本発明の第１の実施の形態における操作卓のブロック図である。まず、図１を参照して、実施の形態における操作卓の構成を説明する。
【００１７】
図１において、１は気象庁からの地震情報を受信して外部装置に通知を行う緊急地震速報端末である。そして、２は自治体役場の防災設備に設置されている親局設備であり、防災情報または行政情報である通報を実施する操作卓２ａと、屋上拡声器３と接続し、操作卓２ａから入力された音声を増幅して出力する拡声器用アンプ２ｂと、親局設備２とデジタル子局５の間をデジタル方式同報無線回線４による回線で結ぶデジタル無線機２ｃと、親局設備２とアナログ子局７の間をアナログ方式同報無線回線６による回線で結ぶアナログ無線機２ｄと、親局設備２と各住民宅電話１０とを電話網９を通じて結ぶ電話応答サーバ２ｅにより構成されている。
【００１８】
また、３は、庁舎の屋上に設置され、庁舎周辺の地域住民に通報内容を拡声する屋上拡声器である。なお、４はデジタル方式同報無線回線であり、親局設備２とデジタル子局５の間を回線で結ぶ、同報無線システムの無線回線である。５は、デジタル方式無線により通報内容を受信し、周辺の地域住民に通報内容を拡声する、デジタル方式の屋外拡声子局や戸別受信機などのデジタル子局である。
【００１９】
そして、６はアナログ方式同報無線回線であり、親局設備２とアナログ子局７の間を回線で結ぶ、同報無線システムの無線回線である。７は、アナログ方式無線により通報内容を受信し、周辺の地域住民に通報内容を拡声する、アナログ方式の屋外拡声子局や戸別受信機などのアナログ子局である。さらに、８は加入者回線であり、親局設備２と電話網９を通じて各住民宅電話１０とを結ぶ、電話回線である。
【００２０】
次に、図１、図２、図３の図を参照して、本発明の実施の形態における、緊急地震速報端末からの通知を受信したならば、通信対象装置毎に通報内容音声に欠落無く、迅速に通報を行うことができ、かつ緊急地震速報端末からの通知される情報から、カウントダウンといったリアルタイム性の内容を含む通報であることを認識し、通報対象の装置の起動待ちに伴う実時間のずれを補正する内容に書き換えることのできる操作卓２ａの作用を説明する。
【００２１】
以下、本発明の実施の形態について、図面を用いて説明する。
【００２２】
［実施例１］
図１は、本発明の第１の実施の形態における操作卓のブロック図であり、図２は、本発明の第１の実施の形態における、緊急地震速報端末からの通報の実施についての動作を示すタイミングチャートである。
【００２３】
緊急地震速報端末１から通知を受信したならば、通信対象装置毎に通報内容音声に欠落無く、迅速に通報を行う動作について説明する。
【００２４】
まず、緊急地震速報端末１は気象庁から地震情報を受信したならば、操作卓２ａに対して地震情報の通知信号と通報内容の出力を行う（Ｅ１０Ａ）。多芯回線１ａ経由で地震情報の通知信号を受信した操作卓２ａ内にて、外部入力ＩＦ部２ａ−２は通知信号を制御ライン２ａ−Ｂを通じて制御部２ａ−１に送信する。制御部２ａ−１はその通知信号の内容が地震情報であると判断したならば、制御ライン２ａ−Ｂを通じて、対象装置毎の音声ライン２ａ−Ａへのゲートの開放を行うよう、音声制御部２ａ−３に指示を行う。
【００２５】
そして、制御部２ａ−１は録音再生部Ａ ２ａ−４に対して、音声ライン２ａ−Ａを通じて音声制御部２ａ−３から入力される音声をデジタル信号に符号化して記録するよう、制御ライン２ａ−Ｂ経由で指示を行う。また、録音再生部Ｂ ２ａ−５、録音再生部Ｃ ２ａ−６に対しても同様に、入力される音声をデジタル信号に符号化して記録するように指示を行う。
【００２６】
制御部２ａ−１からの開放指示を受信した音声制御部２ａ−３は、拡声器用アンプ２ｂやデジタル無線機２ｃなどの装置に繋がる音声ライン２ａ−Ａ上の内部ゲートの開放を行う。この開放により、外部入力ＩＦ部２ａ−２経由の緊急地震速報端末からの地震情報が、拡声器用アンプ２ｂや録音再生部Ａ ２ａ−４や録音再生部Ｂ ２ａ−５や録音再生部Ｃ ２ａ−６への音声ライン２ａ−Ａに出力される。
【００２７】
録音再生部Ａ ２ａ−４は、音声制御部２ａ−３から音声ライン２ａ−Ａ経由で入力された音声を、符号化部２ａ−４−１にてデジタル信号に符号化し、音声ファイル２ａ−４−２に記録を行う（Ｅ１０２）。また、録音再生部Ｂ ２ａ−５は、音声ライン２ａ−Ａ経由で入力された音声を、符号化部２ａ−５−１にてデジタル信号に符号化し、音声ファイル２ａ−５−２に記録を行う（Ｅ１０３）。同様に、録音再生部Ｃ ２ａ−６は、音声ライン２ａ−Ａ経由で入力された音声を、符号化部２ａ−６−１にてデジタル信号に符号化し、音声ファイル２ａ−６−２に記録を行う（Ｅ１０４）。
【００２８】
そして、制御ライン２ａ−Ｂを通じて制御部２ａ−１は、拡声器用アンプ２ｂに電源オンを行う（Ｅ１１０）とともに、デジタル無線機２ｃに対してはデジタル子局５への呼接続要求を行い（Ｅ１１１）、アナログ無線機２ｄに対してはアナログ子局７への呼接続要求を行い（Ｅ１１２）、また、制御ライン２ａ−Ｂを通じて制御部２ａ−１は、電話応答サーバ２ｅへは接続要求を行う（Ｅ１１３）。これら地震情報を伝達する対象装置、拡声器用アンプ２ｂとデジタル無線機２ｃとアナログ無線機２ｄと電話応答サーバ２ｅへの制御は、ほぼ同時に制御部２ａ−１によって行われる。
【００２９】
電源オンの制御がほぼ即座に完了する拡声器用アンプ２ｂの場合、音声ライン２ａ−Ａを通じて音声制御部２ａ−３から入力される音声を増幅し、屋上拡声器３から地震情報の拡声を行う（Ｅ１５０）。
【００３０】
呼接続処理を開始したデジタル無線機２ｃにて、通報対象のデジタル子局５との通信が確立したならば、呼接続が完了したことを制御ライン２ａ−Ｂを通じて制御部２ａ−１に送信する。この呼接続完了を受信した制御部２ａ−１は、録音再生部Ａ ２ａ−４に対し、音声ファイル２ａ−４−２に記録したデジタル信号を復号化するよう、制御ライン２ａ−Ｂを通じて指示を行う。指示を受信した録音再生部Ａ ２ａ−４は、音声ファイル２ａ−４−２から記録内容を読み出し、読み出したデジタル信号を復号化部２ａ−４−３にてアナログ信号に変換して出力し、音声ライン２ａ−Ａ経由でデジタル無線機２ｃに送信する（Ｅ１０５）。これにより復号化された音声は、デジタル無線機２ｃからのデジタル方式同報無線回線４を通じてデジタル子局５に伝達され、デジタル子局５から拡声出力される（Ｅ１５１）。
【００３１】
呼接続処理を開始したアナログ無線機２ｄにて、通報対象のアナログ子局７との通信が確立したならば、呼接続が完了したことを制御ライン２ａ−Ｂを通じて制御部２ａ−１に送信する。この呼接続完了を受信した制御部２ａ−１は、録音再生部Ｂ ２ａ−５に対し、音声ファイル２ａ−５−２に記録したデジタル信号を復号化するよう、制御ライン２ａ−Ｂを通じて指示を行う。指示を受信した録音再生部Ｂ ２ａ−５は、音声ファイル２ａ−５−２から記録内容を読み出し、読み出したデジタル信号を復号化部２ａ−５−３にてアナログ信号に変換して出力し、音声ライン２ａ−Ａ経由でアナログ無線機２ｄに送信する（Ｅ１０６）。これにより復号化された音声は、アナログ無線機２ｄからのアナログ方式同報無線回線６を通じてアナログ子局７に伝達され、アナログ子局７から拡声出力される（Ｅ１５２）。
【００３２】
制御部２ａ−１の接続要求を受信した電話応答サーバ２ｅは、接続応答を制御ライン２ａ−Ｂを通じて制御部２ａ−１に送信する。この接続応答を受信した制御部２ａ−１は、録音再生部Ｃ ２ａ−６に対し、音声ファイル２ａ−６−２に記録したデジタル信号を復号化するよう、制御ライン２ａ−Ｂを通じて指示を行う。指示を受信した録音再生部Ｃ ２ａ−６は、音声ファイル２ａ−６−２から記録内容を読み出し、読み出したデジタル信号を復号化部２ａ−６−３にてアナログ信号に変換して出力し、音声ライン２ａ−Ａ経由で電話応答サーバ２ｅに送信する。これにより復号化された音声の、電話応答サーバ２ｅへの録音・蓄積が開始される（Ｅ１５３）。
【００３３】
そして、緊急地震速報端末１の通知信号が終了し、通報内容の出力が停止したならば（Ｅ１０Ｂ）、多芯回線１ａ経由で地震情報の通知信号の停止を認識した操作卓２ａ内にて、外部入力ＩＦ部２ａ−２は通知信号が停止したことを制御ライン２ａ−Ｂを通じて制御部２ａ−１に送信する。
【００３４】
制御部２ａ−１はその通知信号の停止を認識したならば、制御ライン２ａ−Ｂを通じて、対象装置毎の音声ライン２ａ−Ａへのゲートの閉塞を行うよう、音声制御部２ａ−３に指示を行う。
【００３５】
そして、制御ライン２ａ−Ｂを通じて制御部２ａ−１は、拡声器用アンプ２ｂの電源オフを行い（Ｅ１３０）、屋上拡声器３から地震情報の拡声を終了する（Ｅ１６０）。
【００３６】
なお、制御部２ａ−１は録音再生部Ａ ２ａ−４に対して、入力されている音声をデジタル信号に符号化して記録する処理を停止するよう、制御ライン２ａ−Ｂ経由で指示を行う（Ｅ１２２）。ただし、この時、録音再生部Ａ２ａ−４は、音声ファイル２ａ−４−２から記録内容の読み出しが完了しない限り、読み出したデジタル信号を復号化部２ａ−４−３にてアナログ信号に変換し、デジタル無線機２ｃに対して出力する処理は継続する。
【００３７】
また、制御部２ａ−１は録音再生部Ｂ ２ａ−５に対して、入力されている音声をデジタル信号に符号化して記録する処理を停止するよう、制御ライン２ａ−Ｂ経由で指示を行う（Ｅ１２３）。ただし、この時、録音再生部Ｂ ２ａ−５は、音声ファイル２ａ−５−２から記録内容の読み出しが完了しない限り、読み出したデジタル信号を復号化部２ａ−５−３にてアナログ信号に変換し、アナログ無線機２ｄに対して出力する処理は継続する。
【００３８】
そしてまた、制御部２ａ−１は録音再生部Ｃ ２ａ−６に対して、入力されている音声をデジタル信号に符号化して記録する処理を停止するよう、制御ライン２ａ−Ｂ経由で指示を行う（Ｅ１２４）。ただし、この時、録音再生部Ｃ ２ａ−６は、音声ファイル２ａ−６−２から記録内容の読み出しが完了しない限り、読み出したデジタル信号を復号化部２ａ−６−３にてアナログ信号に変換し、電話応答サーバ２ｅに対して出力する処理は継続する。
【００３９】
録音再生部Ａ ２ａ−４は、音声ファイル２ａ−４−２の記録内容の読み出しが完了したならば（Ｅ１２５）、制御ライン２ａ−Ｂ経由にて、デジタル信号の復号化処理が完了したことを制御部２ａ−１に送信する。復号化処理の完了を受信した制御部２ａ−１は、デジタル無線機２ｃに対し、制御ライン２ａ−Ｂ経由で終話要求を行う（Ｅ１３１）。デジタル無線機２ｃは、この終話要求に基づく呼切断処理を行い、一連のデジタル子局５への緊急地震速報の通報を終了する（Ｅ１６１）。
【００４０】
録音再生部Ｂ ２ａ−５は、音声ファイル２ａ−５−２の記録内容の読み出しが完了したならば（Ｅ１２６）、制御ライン２ａ−Ｂ経由にて、デジタル信号の復号化処理が完了したことを制御部２ａ−１に送信する。復号化処理の完了を受信した制御部２ａ−１は、アナログ無線機２ｄに対し、制御ライン２ａ−Ｂ経由で終話要求を行う（Ｅ１３２）。アナログ無線機２ｄは、この終話要求に基づく呼切断処理を行い、一連のアナログ子局７への緊急地震速報の通報を終了する（Ｅ１６２）。
【００４１】
録音再生部Ｃ ２ａ−６は、音声ファイル２ａ−６−２の記録内容の読み出しが完了したならば（Ｅ１２７）、制御ライン２ａ−Ｂ経由にて、デジタル信号の復号化処理が完了したことを制御部２ａ−１に送信する。復号化処理の完了を受信した制御部２ａ−１は、電話応答サーバ２ｅに対し、制御ライン２ａ−Ｂ経由で切断要求を行う（Ｅ１３３）。この切断処理により電話応答サーバ２ｅでの通報内容の音声蓄積が完了し（Ｅ１６３）、緊急地震速報の終了後の通報内容の確認を望む地域住民による、各住民宅電話１０からの電話網９及び加入者回線８経由の問い合わせに対し、電話応答サーバ２ｅに蓄積された音声を再生することでの対応が可能となる。
【００４２】
このようにして、呼接続といった通報の開始〜通報が可能になるまでの時間が異なる複数の通報対象の装置が防災無線にある場合、緊急地震速報端末からの地震情報を受信したならば、通報内容音声に欠落が無く、かつ迅速に通報を行うことができる。
【００４３】
［実施例２］
本発明の実施の形態２に係る操作卓について説明する。なお、本実施の形態の操作卓は、前述した本発明の実施の形態１の図１で示した操作卓と同様の構成を有しておりここではその説明を省略する。
【００４４】
図３は、本発明の第２の実施の形態における、緊急地震速報端末からの、カウントダウンといったリアルタイム性の内容を含む通報の実施についての動作を示すタイミングチャートである。
【００４５】
緊急地震速報端末１から通知される情報から、カウントダウンといったリアルタイム性の内容を含む通報であることを認識し、通報対象の装置の起動待ちに伴うカウントダウンと実時間のずれを補正する内容に書き換える動作について説明する。
【００４６】
なお、以下は説明を単純化するため、録音再生部Ｂ ２ａ−５とアナログ無線機２ｄとアナログ子局７での動作を主に説明する。
【００４７】
まず、緊急地震速報端末１は気象庁から地震情報を受信したならば、操作卓２ａに対して地震情報の通知信号と通報内容の出力を行う（Ｅ２０Ａ）。この場合の通報内容はカウントダウンの情報を伴うもので、リアルタイム性の高い通報内容である識別子が通知信号に存在する。
【００４８】
多芯回線１ａ経由でこの通知信号を受信した操作卓２ａ内にて、外部入力ＩＦ部２ａ−２は通知信号を制御ライン２ａ−Ｂを通じて制御部２ａ−１に送信する。
【００４９】
制御部２ａ−１はその通知信号の内容、特に識別子がリアルタイム性の高い通報内容であると判断したならば、制御ライン２ａ−Ｂを通じて、対象装置毎の音声ライン２ａ−Ａへのゲートの開放を行うよう、音声制御部２ａ−３に指示を行う。
【００５０】
そして、制御部２ａ−１は録音再生部Ｂ ２ａ−５に対して、音声ライン２ａ−Ａを通じて音声制御部２ａ−３から入力される音声をデジタル信号に符号化して記録するよう、制御ライン２ａ−Ｂ経由で指示を行う。
【００５１】
制御部２ａ−１からの開放指示を受信した音声制御部２ａ−３は、拡声器用アンプ２ｂやデジタル無線機２ｃなどの装置に繋がる音声ライン２ａ−Ａ上の内部ゲートの開放を行う。この開放により録音再生部Ｂ ２ａ−５への音声ライン２ａ−Ａに出力される。録音再生部Ｂ ２ａ−５は、音声ライン２ａ−Ａ経由で入力された音声を、符号化部２ａ−５−１にてデジタル信号に符号化し、音声ファイル２ａ−５−２に記録を行う（Ｅ２０３）。そして、制御ライン２ａ−Ｂを通じて制御部２ａ−１は、アナログ無線機２ｄに対してはアナログ子局７への呼接続要求を行う（Ｅ２１２）。
【００５２】
呼接続処理を開始したアナログ無線機２ｄにて、通報対象のアナログ子局７との通信が確立したならば、呼接続が完了したことを制御ライン２ａ−Ｂを通じて制御部２ａ−１に送信する。この呼接続完了を受信した制御部２ａ−１は、録音再生部Ｂ ２ａ−５に対し、音声ファイル２ａ−５−２に記録したデジタル信号を復号化するよう、制御ライン２ａ−Ｂを通じて指示を行う。また、アナログ無線機の呼接続の開始から完了までの時間（Ｔ）を制御部２ａ−１は保存しておく。
【００５３】
指示を受信した録音再生部Ｂ ２ａ−５は、音声ファイル２ａ−５−２から記録内容を読み出し、読み出したデジタル信号を復号化部２ａ−５−３にてアナログ信号に変換して出力し、音声ライン２ａ−Ａ経由でアナログ無線機２ｄに送信する（Ｅ２０６）。これにより復号化された音声は、アナログ無線機２ｄからのアナログ方式同報無線回線６を通じてアナログ子局７に伝達され、アナログ子局７から拡声出力される（Ｅ２５２）。
【００５４】
さて、通報内容はカウントダウンの情報を含む、リアルタイム性の高い内容であるので、録音再生部Ｂ ２ａ−５に復号化を指示すると共に、制御部２ａ−１は通報内容の加工を行う（図３の「★加工について」）。一般的にこのような通報の場合、最初は震度等を説明する重要な情報であるので、録音再生部Ｂ ２ａ−５に対し、制御部２ａ−１は所定期間はそのまま復号を行わせる。この所定期間が経過したならば、制御部２ａ−１は先ほど保存した所定期間の分、音声ファイル２ａ−５−２の内容を削除する。削除終了後は、残った音声ファイル２ａ−５−２の内容を最後まで復号化する。
【００５５】
録音再生部Ｂ ２ａ−５は、音声ファイル２ａ−５−２の記録内容の読み出しが完了したならば（Ｅ２２６）、制御ライン２ａ−Ｂ経由にて、デジタル信号の復号化処理が完了したことを制御部２ａ−１に送信する。復号化処理の完了を受信した制御部２ａ−１は、アナログ無線機２ｄに対し、制御ライン２ａ−Ｂ経由で終話要求を行う（Ｅ２３２）。アナログ無線機２ｄは、この終話要求に基づく呼切断処理を行い、一連のアナログ子局７への緊急地震速報の通報を終了する（Ｅ２６２）。
【００５６】
このようにして、緊急地震速報端末１から通知される情報から、カウントダウンといったリアルタイム性の内容を含む通報であることを認識し、通報対象の装置の起動待ちに伴うカウントダウンと実時間のずれを補正する内容に書き換えて、対象装置から拡声を行うことができる。
【００５７】
［実施例３］
本発明の実施の形態３に係る操作卓について説明する。なお、本実施の形態の操作卓は、前述した本発明の実施の形態１の図１で示した操作卓と同様の構成を有しておりここではその説明を省略する。
【００５８】
地域に最適な情報をデジタル信号としてあらかじめ登録しておき、緊急地震速報端末からの通知される情報を識別し、その登録されているデジタル信号を音声に復号化し、緊急地震速報端末からの音声よりも地域に最適な情報を拡声する動作を説明する。なお、以下は説明を単純化するため、録音再生部Ｂ ２ａ−５とアナログ無線機２ｄとアナログ子局７での動作を主に説明する。運用前に、操作卓２ａの録音再生部Ｂ ２ａ−５の音声ファイル２ａ−５−２に、地域に最適な情報をデジタル信号として登録しておく。
【００５９】
まず、緊急地震速報端末１は気象庁から地震情報を受信したならば、操作卓２ａに対して地震情報の通知信号と通報内容の出力を行う。この場合の通報内容について知ることができる識別子が通知信号に存在する。
【００６０】
多芯回線１ａ経由でこの通知信号を受信した操作卓２ａ内にて、外部入力ＩＦ部２ａ−２は通知信号を制御ライン２ａ−Ｂを通じて制御部２ａ−１に送信する。制御部２ａ−１はその通知信号の内容を識別子によって認識し、地域に最適な情報に変更する必要があると判断したならば、制御ライン２ａ−Ｂを通じて、アナログ無線機２ｄに対してアナログ子局７への呼接続要求を行う。
【００６１】
呼接続処理を開始したアナログ無線機２ｄにて、通報対象のアナログ子局７との通信が確立したならば、呼接続が完了したことを制御ライン２ａ−Ｂを通じて制御部２ａ−１に送信する。この呼接続完了を受信した制御部２ａ−１は、録音再生部Ｂ ２ａ−５に対し、音声ファイル２ａ−５−２にあらかじめ地域に最適な情報として記録したデジタル信号を復号化するよう、制御ライン２ａ−Ｂを通じて指示を行う。
【００６２】
指示を受信した録音再生部Ｂ ２ａ−５は、音声ファイル２ａ−５−２から記録内容を読み出し、読み出したデジタル信号を復号化部２ａ−５−３にてアナログ信号に変換して出力し、音声ライン２ａ−Ａ経由でアナログ無線機２ｄに送信する。これにより復号化された音声は、アナログ無線機２ｄからのアナログ方式同報無線回線６を通じてアナログ子局７に伝達され、アナログ子局７から拡声出力される。
【００６３】
録音再生部Ｂ ２ａ−５は、音声ファイル２ａ−５−２の記録内容の読み出しが完了したならば、制御ライン２ａ−Ｂ経由にて、デジタル信号の復号化処理が完了したことを制御部２ａ−１に送信する。復号化処理の完了を受信した制御部２ａ−１は、アナログ無線機２ｄに対し、制御ライン２ａ−Ｂ経由で終話要求を行う。アナログ無線機２ｄは、この終話要求に基づく呼切断処理を行い、一連のアナログ子局７への緊急地震速報の通報を終了する。
【００６４】
このようにして、地域に最適な情報をデジタル信号としてあらかじめ登録しておき、緊急地震速報端末からの通知される情報を識別し、その登録されているデジタル信号を音声に復号化し、緊急地震速報端末からの音声よりも地域に最適な情報を拡声することができる。
【００６５】
なお、各実施例では、緊急地震速報端末１からの入力信号に対し、デジタル無線側においても呼接続時間（立ち上がり時間）が若干存在するため、録音再生部Ａを設けている。しかし、呼接続時間を無視できる場合は、録音再生部Ａは不要である。
【産業上の利用可能性】
【００６６】
本発明は、呼接続といった通報の開始〜通報が可能になるまでの時間が異なる複数の通報対象の装置が防災無線にある場合、緊急地震速報端末からの地震情報を受信したならば、通報内容音声に欠落が無く、かつ迅速に通報を行うことができる通信方法及び通信システムを実現することができ、防災無線や消防無線など広域に通報を行う同報無線システムに利用することができる。
【符号の説明】
【００６７】
１  緊急地震速報端末
１ａ  多芯回線
２  親局設備
２ａ  操作卓
２ａ−１  制御部
２ａ−２  外部入力ＩＦ部
２ａ−３  音声制御部
２ａ−４  録音再生部Ａ
２ａ−５  録音再生部Ｂ
２ａ−６  録音再生部Ｃ
２ａ−Ａ  音声ライン
２ａ−Ｂ  制御ライン
２ｂ  拡声器用アンプ
２ｃ  デジタル無線機
２ｄ  アナログ無線機
２ｅ  電話応答サーバ
３  屋上拡声器
４  デジタル方式同報無線回線
５  デジタル子局
６  アナログ方式同報無線回線
７  アナログ子局
８  加入者回線
９  公衆電話網
１０  各住民宅電話
【図１】
0005621889.tif 000002
【図２】
0005621889.tif 000003
【図３】
0005621889.tif 000004
【図４】
0005621889.tif 000005
【図５】
0005621889.tif 000006
【図６】
0005621889.tif 000007
【図７】
0005621889.tif 000008